Podtech/llm-jp-corpus-v4-ja_patent huggingface dataset:
(57)【要約】【課題】プランターに植えた苗を風などから守るとき、樹脂板を円筒にまるめて使う保護カバーを提供する。【解決手段】苗を植えたプランター（１）に樹脂板（ＰＥＴ）をまるめた円筒カバー（２）を留め金でとめ（２）杭で固定する（３）を設けた樹脂板をまるめて使う保護カバーを特徴とする。【選択図】図１
2015058005.tif 000002
【特許請求の範囲】
【請求項１】
苗を植えたプランター（１）に樹脂板（ＰＥＴ）をまるめた円筒カバー（２）を留め金でとめ（２）杭で固定する（３）を設けた樹脂板をまるめて使う保護カバー。
【発明の詳細な説明】
【技術分野】
【０００１】この発明は、家庭菜園でプランターに植えた苗を強い風から守るための、樹脂板（ＰＥＴ）を円筒にして使う保護カバーに関するものである。
【背景技術】
【０００２】従来、ドーム形のカバーがあった。
【先行技術文献】
【特許文献】
【０００３】
【特許文献１】
【発明の概要】
【発明が解決しようとする課題】
【０００４】従来、保護カバーは繰り返し使っている、使った後は収納している、収納する場所が必要となる。本発明は、以上のような内容が使いやすくて収納が容易にできるようになされたものである。
【課題を解決するための手段】
【０００５】苗を植えたプランター（１）に樹脂板（ＰＥＴ）をまるめた円筒のカバー（２）を留め金でとめ（２）杭で固定する（３）
本発明は、以上の構成よりなるプランター用の保護カバーである。
【発明の効果】
【０００６】保護カバーを使うとき樹脂板（ＰＥＴ）を円筒状にまるめ固定する。手間がかからず使うことができ、片付けも簡単、繰り返し使うことができる。
【図面の簡単な説明】
【０００７】
【図１】本発明の斜視図である
【図２】本発明の収納するときの分解斜視図である。
【発明を実施するための形態】
【０００８】以下、本発明を実施するための形態について説明します。
苗を植えたプランター（１）を透明のうすい樹脂板（ＰＥＴ）をまるめ円筒にする（２）留め金の所に差し込み止める（２）カバーが風にとばされないように杭を差し込み固定する（３）そしてカバーは固定してある所を外してたいらの状態で収納（２）これを使用するときカバーと留め金が一体になっているので簡単に円筒状のカバーになり手間がかからなく使うことができ、使った後も容易に収納することができる。
【符号の説明】
【０００９】１．プランター
２．保護カバー
２．留め金
３．杭
【図１】
2015058005.tif 000003
【図２】
2015058005.tif 000004
(57)【要約】【課題】 ペンシル１の上部、ノック５より下の部分に固着するアクセサリーとしての飾りを提供する。【解決手段】ペンシル１の上部、ノック５より下の部分に、自然界に存在する物の形態をアクセサリー化した、模造の飾り２を、帯状体の両面テープ３でフック４の内側に巻き付けて固着することを特徴とする【選択図】図１
2015058686.tif 000002
【特許請求の範囲】
【請求項１】
ペンシルの上部で、ノック５より下の部分に自然界に存在する物の形態をアクセサリー化した模造の飾りを取り付けた帯状体を、少なくともペンシル本体の一部を巻き付けて固着する事を特徴とするペンシル用飾り。
【請求項２】
請求項１に記載のペンシル用飾りを取り付けたことを特徴とするペンシル。
【発明の詳細な説明】
【技術分野】
【０００１】
この発明は、ペンシルの上の部分にアクセサリーとしての飾りを取り付けるものである          
【背景技術】
【０００２】
従来よりペンシル用飾りとして、キャップの頭部に動物や漫画のキャラクター等を取り付けたものがある。
【先行技術文献】
【特許文献】
【０００３】
【特許文献１】特開２０００―３３５１８３
【発明の概要】
【発明が解決しようとする課題】
【０００４】
これらは、ほとんどが幼児や児童向けのものであり、高学年の学生や大人にとってはアクセサリーとしては適当でない。
【０００５】
本発明は、高学年の学生や大人がアクセサリーとして使用できる事を前提として、キャップのないペンシルにも固着する事が出来る。      
【課題を解決するための手段】
【０００６】
ペンシルの上の部分、ノックより下の部分に、自然界に存在する物の形態をアクセサリー化した模造の飾りを取り付けた帯状体を少なくともペンシル本体の一部を巻き付けて固着したペンシル用飾りである。
【発明の効果】
【０００７】
本発明の飾りを使用することにより、次の効果がある。
(イ)この飾りはペンシルに固着することにより、華やかで楽しくなる雰囲気をだす効果がある。
(ロ)この飾りは老若男女全てに使用できる。
【図面の簡単な説明】
【０００８】
【図１】本発明の一例として花の飾りをフック側に取り付けた場合の断面図。
【図２】本発明の一例として、花の飾りをフックと反対側に取り付けた場合の側面図。
【発明を実施するための形態】
【０００９】
ペンシル１の上の部分、ノック５より下の部分に、自然界に存在する物の形態をアクセサリー化した、模造の飾り２(図１に示すような花飾り)を帯状体の両面テープ３で固着する。
【００１０】
花飾り２はできるだけ実物に近い形状と色彩及び風合いを持った形態にする。
【００１１】
花飾り３の大きさは、ペンシル１に付けることを前提に、その形より物の種類を理解できる大きさにする
【００１２】
花飾り３をペンシル１の上部、ノック５より下の部分に固着する方法として、ペンシル１に帯状体の両面テープ３で巻きつける。その折はフック４の内側のペンシル本体に巻き付けても良いが、フック４の外側に巻き付けても良い。尚、フック５がないものに付いては、ペンシル１本体に巻き付けても良い。
【００１３】
フック４の内側、ペンシル１の本体に巻きつけることにより、ポケットや手帳にスムーズに取り付けることができる。
【００１４】
本発明はフック４を設けたキャップ付きのペンシル１やキャップなしのあらゆるペンシル類に適用できる。
【００１５】
図１及び図２は本発明の一例として、花の飾り２をペンシル１に固着した場合を表す。本発明は以上の形態より成りたっている。
【００１６】
本発明の使用方法は飾りを帯状体の両面テープで前記の方法により、固着して使用する。
【符号の説明】
【００１７】
１  ペンシル
２  花飾り
３  両面テープ(帯状体)
４  フック
５  ノック
【図１】
2015058686.tif 000003
【図２】
2015058686.tif 000004
(57)【要約】【課題】  ヘルメットのように表面が滑らかで滑りやすいものの上からでも安定して装着できるように工夫した傘帽子で、傘帽子の受骨を束ねている下ロクロの手元側の先端に吸盤を設けた傘帽子を提供する。【解決手段】  傘帽子（１）の傘の受骨（２）を束ねる下ロクロ（３）の手元側の先端（４）に吸盤（５）を設けたことを特徴とする。【選択図】図２
2015058330.tif 000002
【特許請求の範囲】
【請求項１】
傘帽子（１）の下ロクロ（３）の手元側の先端（４）に吸盤（５）を設けたことを特徴とする傘帽子。
【発明の詳細な説明】
【技術分野】
【０００１】  この発明は、ヘルメットのように表面が滑らかで滑りやすいものの上からでも安定して装着できるように工夫した傘帽子で、傘帽子の受骨を束ねている下ロクロの手元側の先端に吸盤を設けた傘帽子に関するものである。
【背景技術】
【０００２】  従来の傘帽子は、人の頭に直接被るか、装着することを想定していた（特許文献１、２、３参照）。
【先行技術文献】
【特許文献】
【０００３】
【特許文献１】実用新案公開平５−６６０２２
【特許文献２】実用新案公開平７−４４９０１
【特許文献３】登録実用新案第３１３００４４号
【発明の概要】
【発明が解決しようとする課題】
【０００４】  従来の傘帽子には次のような欠点があった。すなわち、従来のものは、帽子のように頭に被ったり、ベルトで頭に固定したりしていた。したがって、ヘルメットのように表面が滑らかで滑りやすいものの上から傘帽子を安定的に被ったり装着したりするのは困難であった。
ところが、灼熱の日差しの中でヘルメットを長時間被ったまま作業をしなければならない時などは、ヘルメットが強い日差しで高温になり、健康上危険極まりない。熱中症予防のためにも、日よけになるだけではなく、ヘルメットと傘との間に空間があり、その空間を空気が流れて冷却効果も期待できる傘帽子が欲しいところである。その他、日射を避けるのに役立つばかりでなく、傘帽子は、降雨時には、雨が直接目に当たるのを避けてくれ、雨除けとしても役に立ち、安全に作業に集中することができる。
本発明は、従来の傘帽子が持つ以上のような欠点をなくすためになされたものである。
【課題を解決するための手段】
【０００５】  傘帽子（１）の傘の受骨（２）を束ねる下ロクロ（３）の手元側の先端（４）に吸盤（５）を設ける。
本発明は、以上の構成よりなる、表面が滑らかなヘルメットの表面に吸盤で固定して装着することができる吸盤つき傘帽子である。
【発明の効果】
【０００６】  本発明の傘帽子の下ロクロの手元側先端には吸盤がついているので、表面が滑らかなヘルメットに容易に吸着し、傘帽子をヘルメット上に確実かつ安定的に装着することができる。
したがって、本発明の傘帽子は、灼熱の太陽光がヘルメットに直接当たり、ヘルメットが高熱化するのを防ぐばかりでなく、ヘルメットと傘との間にある空間を空気が流れて冷却効果も期待できるため、熱中症予防に効果がある。
また、傘帽子は、降雨時にも、目に直接雨が当たるのを避けてくれ、雨除けとしても役に立ち、安全に作業に集中することができる。
さらに、傘帽子の下ロクロの手元側先端に設けられた吸盤は、頭部に直接装着する通常時の使用にもまったく邪魔にならず、逆に、弾力に富んだ吸盤が、硬い下ロクロと頭部との間に入ってクッションの役割を果たし、好都合である。したがって、吸盤を設けたことが通常の使用を妨げることもなく、かえって、傘帽子装着時の快適さを増すことになる。
【図面の簡単な説明】
【０００７】
【図１】本発明にかかる傘帽子の通常使用時の正面図である。
【図２】本発明にかかる傘帽子の裏側の斜視図である。
【図３】本発明にかかる傘帽子をヘルメットに装着した時の断面図である。
【発明を実施するための形態】
【０００８】  以下、本発明を実施するための形態について説明する。
傘帽子（１）の傘の受骨（２）を束ねる下ロクロ（３）の手元側の先端（４）に接着剤を用いて吸盤（５）を貼り付ける。
本発明は、以上の構成よりなる、表面が滑らかなヘルメット（６）の表面に吸盤で固定して、ヘルメットの上からでも装着できる吸盤つき傘帽子である。
本発明をヘルメット装着時に使用するときは、ヘルメットの上から傘帽子を被り、傘帽子の石突き（７）部を上から押せば、吸盤は容易にヘルメットに吸着する。傘帽子についている顎紐を使えば、傘帽子はさらに安定して使いやすくなる。
また、本発明を、ヘルメットなしで頭部に直接装着するときは、吸盤を設けたまま、通常通りに本発明を装着すればよい。吸盤がクッションの役割を果たし、硬い下ロクロが頭に直接あたらず快適である。
【符号の説明】
【０００９】１傘帽子
２受骨
３下ロクロ
４下ロクロの手元側の先端
５吸盤
６ヘルメット
７石突き
【図１】
2015058330.tif 000003
【図２】
2015058330.tif 000004
【図３】
2015058330.tif 000005
(57)【要約】      （修正有）【課題】体を自ら動かせない人の床ずれを防止、若しくは床ずれ防止補助を行い当該者及び、介護者の負担を軽減する【解決手段】１）ベッド縦方向を３分割し、中央床部分を、床部回転軸中心に片側に１０度程度傾け、一定時間経渦後、逆力向に１０度程度傾け、それを繰り返す。２）ベッドの傾きにより生じる可動部と固定部の隙間の遮蔽を、ビニール床材等を用い、当該部をカバーし、安全を確保する。【選択図】図２
2015058335.tif 000002
【特許請求の範囲】
【請求項１】
ベッド縦方向を３分割した中央床部分を、床部回転軸中心に片側に１０度程度傾け、一定時間経過後、逆方向に１０度程度傾け、それを繰り返す。
【請求項２】
ベッド縦方向床部の３分割にする事により実用を可能にする。
中央部分を傾けると、支点効果により、左右の床部の角度も変化する為、当該者に転がり落ちないという安心感を与え、すべり落を、防止できる。
【発明の詳細な説明】
【技術分野】
【０００１】本発明は、老衰や疾病等で寝返りが自分自身で打てない人等のために、ベッドの中央床部分を自動的に左右交互に、１０度前後傾ける事により、床部分に接触する体の重心を適時変化させる。体重が絶えず同じ位置にかかるのを軽減させ、床ズレ防止、若しくは床ズレ防止を補助する事により当該者及び介助者の負担を軽減する。【０００２】ベッド床部を縦方向に３分割し蝶番を用い連結可動させる事により、左右床の床部分の傾きが支点の効果で中央床部分と逆角度になり、寝具や当該者のすべり落ちが、防止できる。
又、縦方向のベッドフレームと、左右床部分との間隔が変化し、指手や異物を挟んでしまう可能性が生じるが、ビニール床材等を用いカバーする。
【発明が解決しようとする課題】
【０００２】本発明は、老衰や疾病等で寝返りが自分自身で打てない人の床ズレを防止、若しくは補助し介助者の負担を軽減する。
【課題を解決するための手段】
【０００３】本発明は、上記課題を解決するため、以下の手段を採用する。
モーター等を使用しベッド中央床部に回転運動を与える。
【図面の簡単な説明】
【０００４】
【図１】当該ベッド上に上向きに横たわる人。
【図２】モーターの回転により１０度程度床部及び人が傾いている図。
【符号の説明】１  上向きに横たわる人。            ６  蝶番−２
２  ベッド床部回転軸                ７  モ−ター
３  ベッドの補助支点−１            ８  伝動ベルト
４  ベッドの補助支点−２            ９  隙間遮蔽カバー−１
５  蝶番−１                      １０  隙間遮蔽カバー−２
【図１】
2015058335.tif 000003
【図２】
2015058335.tif 000004
(57)【要約】      （修正有）【課題】上半身の下着の裾は、胸方向に（上に）体の動きで擦れ上がり着崩れしやすい。そのため、上半身の下着が擦れ上がり服装が乱れる結果、特に成人に於いて、ぽっこりお腹・三段腹・大皺等、生体形の野ばなし状態が生じ、下着によるフィット圧での強制補正等（サポート）の機能が無い。従って、それらを改善した上半身下着を提供すること。【解決手段】上半身下着１の裾後ろ側面寄り部分２の２か所に設けた、帯び状で適宜な形状の長さと巾の布４が左右それぞれの股間節を跨いで、お尻を持ち上げて引っかける様に抱えて、裾前部分に面ファスナー８等で、適宜なフィット感覚で着脱自在に接合し体形の崩れに必要な部位を強制補正（サポート）する構成手段を講じた。【選択図】図１
2015196939.tif 000002
【特許請求の範囲】
【請求項１】
頭等から被って装着の上半身下着に於いて、裾後部側面寄りの左右２か所から適宜な形状の長さと巾の帯び状布を延長する様に設けた該、帯びのそれぞれ先端と裾部分前の２か所に、両者が脱着自在なマジックテープ等の張設構造で、構成した事を特徴とする、裾の擦れ上がらない上半身下着。
【請求項２】
上半身下着の裾後側面寄り部分の左右２か所に設けた帯び形状巾の布を、それぞれ左右の股関節を跨いで、太ももに引っかける様に裾前部分の左右２か所に脱着自在にマジックテープ等で接着することで、裾の擦れ上がりを防止し、身体各部位の補正下着機能を備える構造と構成を特徴とする、請求項１に記載の裾の擦れ上がない上半身下着。
【発明の詳細な説明】
【技術の分野】
【０００１】  本発明は上半身の下着に関する。
【背景技術】
【０００２】  従来から、肌に密着する下着は、肌に優しい布で主に、頭から被って着装される様に縫製され広く着用されている。【０００３】  上半身下着後ろ裾部分（１枚）一部の布を延ばして、股下を跨いて前に引き上げ、前裾部分にマジックテープ等で接続して上半身各部位に、フィットさせ上半身の体形の補正目的で、（特に成人女性）装着されている。【０００４】
【特許文献】  特許電子図書館による、（キーワード）上半身下着、股関節、跨ぐ、引っかける、着脱自在の検索で、一致は見つかりませんでした。
【０００５】
【非特許文献】  上半身下着と、下半身下着を互いに繋いで上半身下着の裾の擦れ上がり防止の手段を、目的とした附属品（小物）が提供されている。
【発明の概要】
【発明が解決しようとする課題】
【０００６】  体の動きで上半身下着の裾部分が擦り上る事での、服装の乱れる課題がある。【０００７】  着衣の乱れにより、（体形が年齢に比例して）胴回部位・胸部位・腹部位・背中部位が弛み大皺に尚、お尻の部位が垂れ下がる等の現実に対応して、体に下着がフィットせず、擦れ上がり、体形の崩れが野ばなし状態なので、健康医療や美容上にも下着としての（サポート）強制補正の能力に欠ける課題がある。【０００８】  従来技術の上半身肌着では、病気等で余儀なく床に伏し介護が必要な場合、介護を受けた直後から次の介護を受ける迄の間に、裾の擦れ上がらない保証が無く、体の動きにより容易に下着の裾が擦れ上がっての着崩れが生じる事が多いが、介護を受ける人も介護する人も、どうにも出来ない不安感に課題がある。【０００９】  上述［０００３］に記載の体形補正の下着は、用便時の着脱作業が，面倒で煩わしい課題がある。
【課題を解決するための手段】
【００１０】  以下図と符号に基き説明する。図１の頭から被る等、上半身の衣服・肌着・下着（以下、下着１と言う）該、下着裾後部側面寄り２の左右の２か所からお尻部位の左右３を抱える為の適宜な、長さと巾の帯び形状布４（以下布４と言う）を延長する様に設ける（以下設ると言う）手段を講じた。【００１１】  下着１の裾前部分５と布４の先端６に、マジックテープ等７・８を設け、股関節を跨ぎ太ももに引っかける様に、着脱する位置に張設する構造手段を講じた。
【発明の効果】
【００１２】  上半身の下着１の裾後ろ側面寄り２から延びる布４の先端６を、図２・３の股間を跨いで巻付ける様に、太ももに引っ掛け裾前５に接合する事で、体を動かしても前後裾部分５・２が擦れ上がらない効果がある。【００１３】  別途適宜に身体補正をする為の布で構成し、腰・お腹・背中・胸・等の必要部位にフィットさせ、強制補正して健康的な体型に改善し、美容や医療面にも寄与する効果がある。【００１４】  病床に伏せる人は、上述の様に下着１が乱れず体９に快適にフィットしてスッキリした気分の持続や。（介護）ケアする人は、（次のケアまでの下着１の乱れを気にせず）安心して効率の良いケアができる効果がある。【００１５】  下着１はお腹部位・背中部位・腰蔀位・お尻等必要部位にフィット（加圧効果）して正しい体に強制補正（サポート）がなされ、上記のお腹（ぽっこり、三段腹）背筋・お尻（垂れ下がり）・女性於いては胸元ラインもスッキリ改善される効果がある。【００１６】  老若男女を問わずに下着１で、強制補正（サポート）が施され着衣を乱さず姿勢を正し、健康医療は基より美容にも期待がもてる下着１を経済的にも安価に提供する効果がある。【００１７】  本発明の下着１は、大小の用便時には無関係で着脱の必要はない。
【図面の簡単な説明】
【００１８】
【図１】  上半身下着の立体図
【図２】  着装時の正面図
【図３】  着装時の背面図
【発明を実施するための形態】
【実施例】
【００１９】  本発明の一実施例を符号に基づき詳説する。上半身下着１の裾後ろ側面寄り２の２か所部分から帯び形状で適切な布４を設け該、先端６と裾前５の２か所それぞれに、マジックテープ８を張設て着脱自在に対応する様、設けた２本の布４の先端６は股関節を跨いで、適切な感覚で両太ももに巻く様に引っかけ、前裾５に着脱自在に接続してお腹・背中及び、お尻の各部位３にフィットさせる（女性は胸元も同時に奇麗なラインにサポートするものてある）結果、上半身下着１の裾後ろ２、裾前５の擦れ上る懸念が解消される。
（以下２件、図示せず）布４は裾の前から股関節（股）を跨いで後ろへ又・尚下着１は前開き・後ろ開きでも良い。
【符号の説明】
【００２０】１            上半身下着
２            下着裾後ろ側面寄り部分
３            お尻部位・布
４            下着１の裾後ろ側面寄り部分に設けた、適切な長さと巾の帯び形状布
５            下着１の裾前部分
６・７・８    帯び状布４の先端と、裾前５に張設（着脱）したマジックテープ
９            体
【図１】
2015196939.tif 000003
【図２】
2015196939.tif 000004
【図３】
2015196939.tif 000005
(57)【要約】【課題】比較的粒径が大きく多量の粉塵に対して性能が長持ちするために、市販の呼吸用保護具または防塵マスクの外気吸入口に取り付けられ交換できるカバーがあれば、粉塵を含んだ水滴がフィルターに付着するのを防ぎ、フィルターに溜まった粉塵の落下を促すことができ、フィルターひいては呼吸用保護具の性能が長持ちさせること。【解決手段】本発明の呼吸用保護具のカバーは、呼吸用保護具の外気吸入口に取り付けられるフィルターを保護するためのカバーであって、呼吸用保護具の外気吸入口に取り付けられたフィルターを覆うカバーであって、前記カバーの内側に先端が前記フィルターに接するブラシが植毛されたことを特徴とする呼吸用保護具のカバーである。【選択図】図１
2015196029.tif 000002
【特許請求の範囲】
【請求項１】
呼吸用保護具の外気吸入口に取り付けられたフィルターを覆うカバーであって、
前記カバーの内側に先端が前記フィルターに接するブラシが植毛されたことを特徴とする呼吸用保護具のカバー。
【請求項２】
前記ブラシは、カーボン繊維であることを特徴とする請求項１に記載の呼吸保護具のカバー。
【発明の詳細な説明】
【技術分野】
【０００１】
本発明は、呼吸用保護具または防塵マスクのカバー、より詳細には、特に土木、建築工事現場で使われる呼吸用保護具の外気吸入口に取り付けられるフィルターを保護するためのカバーに関する。
【背景技術】
【０００２】
呼吸用保護具または防塵マスクは多く提案されており、粉塵の捕集性や通気性、あるいは付着した塵埃の除去に関する性能にも優れた高級仕様のものから、単に口や鼻を覆うだけを目的にした簡易なものまである。一方、作業員の安全を確保するために、粉塵を瞬時に除去してクリーンな状態を維持することができる電動ファンを備えたマスクや、送風機とホースで連結して常時酸素を供給できる高機能のマスクも開発されている。（例えば、特開２００２−２１９１８４、特開２００２−１７７４０８など。）
一般的に土木、建築工事現場では、常時塵埃が浮遊する過酷な空間での作業が避けられないが、作業環境に応じた性能を有するとともに、小型軽量で作業がし易く、土埃などの比較的粒径が大きく多量の粉塵に対しても性能が長持ちするような呼吸用保護具、または防塵マスクはなかった。
【先行技術文献】
【特許文献】
【０００３】
【特許文献１】特開２００２−２１９１８４
【特許文献２】特開２００２−１７７４０８
【発明の概要】
【発明が解決しようとする課題】
【０００４】
土木、建築工事現場では、作業員が移動しながら作業するので、単独で使用できる小型軽量タイプで、かつ作業の妨げにならないマスクが必要である。また地盤の掘削や土砂の搬出作業を伴う地下工事や、トンネル工事の切羽では湿った土埃が多量に発生するため、土埃による汚れとともに水分がマスクに付着し、頻繁にマスクを交換しなければならない場合がある。
交換頻度を下げるためには、比較的粒径が大きく多量の粉塵に対しても性能を長持ちさせる必要がある。市販の呼吸用保護具または防塵マスクの外気吸入口に取り付けられて交換できるカバーがあれば、粉塵を含んだ水滴がフィルターに付着するのを防いだり、フィルターに溜まった粉塵の落下を促すことができるので、フィルターひいては呼吸用保護具の性能が長持ちする。
【課題を解決するための手段】
【０００５】
本発明の呼吸用保護具のカバーは、呼吸用保護具の外気吸入口に取り付けられるフィルターを保護するための着脱自在のカバーである。即ち、呼吸用保護具の外気吸入口に取り付けられたフィルターを覆うカバーであって、前記カバーの内側に先端が前記フィルターに接するブラシが植毛されたことを特徴とする呼吸用保護具のカバーである。
更に、前記ブラシは、カーボン繊維で構成されていてもよい。
【発明の効果】
【０００６】
本発明の呼吸用保護具のカバーは、プラスチック等の軽量な素材で作れば、市販の呼吸用保護具に簡単に装着固定でき、小型軽量で作業の妨げにならない。また呼吸用保護具の外気吸入口に取り付けられるフィルターを直接正面に露出させないので、作業中に粉塵を含んだ水滴が直接呼吸用保護具のフィルターに付着するのを防ぐ。
更に、カバー内側に先端が前記フィルターに接するブラシが植毛されているので、フィルターの呼吸に伴う振動や作業による振動により、フィルター表面をブラシで払うことになり、フィルターに溜まった粉塵の落下を促すことができ、フィルターひいては呼吸用保護具の性能が長持ちする。
【図面の簡単な説明】
【０００７】
【図１】本発明の実施形態に係る呼吸用保護具のカバーの断面図である。
【図２】本発明の実施形態に係る呼吸用保護具のカバーを設置した場合の縦断面図と側面図である。
【発明を実施するための形態】
【０００８】
本発明は、呼吸用保護具または防塵マスクのカバー、より詳細には、特に土木、建築工事現場で使われる呼吸用保護具の外気吸入口に着脱自在に取り付けられるとともに、フィルターを保護するためのカバーに関する。
【０００９】
以下、本発明の実施形態について、図面を参照しながら説明する。図１において、カバー本体１は、プラスチックを素材として、市販の呼吸用保護具の外気吸入口に取り付けられるフィルター部分を覆い、挿入することで固定できる程度の大きさのカップ形状である。前記カバー側面の一部に外気吸込口３が開けられている。
更に、前記カバーの内側には、先端が前記フィルターに接するブラシ２が植毛されている。図２において、市販の電動ファン付き呼吸保護具に本発明の呼吸用保護具のカバーを設置した場合の縦断面図と側面図を示す。
【００１０】
本発明の呼吸用保護具のカバーは、プラスチック等の軽量な素材で作れば、市販の呼吸用保護具に簡単に装着固定でき、小型軽量で作業の妨げにならない。また呼吸用保護具の外気吸入口に取り付けられるフィルターを直接正面に露出させないので、作業中に粉塵を含んだ水滴が直接呼吸用保護具のフィルターに付着するのを防ぐ。
更に、カバー内側に先端が前記フィルターに接するカーボン繊維のブラシ２が植毛されているので、フィルターの呼吸に伴う振動や作業による振動により、フィルター表面をブラシ２で払うことになり、フィルターに溜まった粉塵の落下を促すことができ、フィルターひいては呼吸用保護具の性能が長持ちする。カーボン繊維のブラシであるため摩擦により静電気が発生し難い。
【符号の説明】
【００１１】
１  カバー本体
２  ブラシ
３  吸込口
【図１】
2015196029.tif 000003
【図２】
2015196029.tif 000004
(57)【要約】【課題】マスクを装着した上から、薄膜状のシートで、鼻根から顎までを覆い、花粉や、ＰＭ２．５、ウィルスの侵入を最小限に抑え、また呼気によって眼鏡の曇りを防止することを目的としたマスクシートを提供する。【解決手段】フェイスラインに沿った立体型の薄膜状のシートで、マスク（８）を装着した状態の上から、鼻根（１２）から顎（１４）にかけて覆い、耳掛けフック（６）で両側で引っ張ってマスク（８）との隙間を密着させ、眼鏡（９）の鼻パッド（１０）で薄膜状のシートが押さえて気密性を高め、呼気による眼鏡（９）の曇りを防止し、装着時に息苦しくならないように、口と鼻の箇所に呼吸穴をを設けたことを特徴とする。【選択図】図１
2015196079.tif 000002
【特許請求の範囲】
【請求項１】
フェイスラインに沿った立体型の薄膜状のシートで、マスク（８）を装着した状態の上から、鼻根（１２）から顎（１４）にかけて覆い、耳掛けフック（６）で両側で引っ張ってマスク（８）との隙間を密着させ、眼鏡（９）の鼻パッド（１０）で薄膜状のシートが押さえて気密性を高め、呼気による眼鏡（９）の曇りを防止し、装着時に息苦しくならないように、口と鼻の箇所に呼吸穴を設けたことを特徴とするマスクシート（１）。
【発明の詳細な説明】
【技術分野】
【０００１】    この発明は、市販の予防マスクを装着した上から、弾力性素材の薄膜状のシートで、鼻根から顎までを覆い、花粉や、ＰＭ２．５、ウィルスの侵入を最小限に抑え、また眼鏡を使用する際は、鼻パッドで薄膜状のシートが押さえて気密性を高め、呼気によって眼鏡が曇ることを防止することを目的としたマスクシートに関するものである。
【背景技術】
【０００２】    従来、予防マスクを装着した際に、呼気による眼鏡の曇りを軽減することに特化したマスクおよびその部材は、これまで数多くあるものの、機能性、製造コスト、使い勝手においてはいづれも一長一短あり、全ての条件を満たすものがなかった。
【先行技術文献】
【特許文献】
【０００３】
【特許文献１】特開２０１１−１８３０９３号広報
【特許文献２】特開２００６−３０５２７９号広報
【特許文献３】特開２０１０−１６２０９８号広報
【特許文献４】特開２００１−５６５号広報
【発明の概要】
【発明が解決しようとする課題】
【０００４】    これは、つぎのような欠点があった。
（イ）特開２０１１−１８３０９３号広報のマスク部材は、装着時に鼻の湾曲の隙間をフィットさせるマスクサポーターである。取り付り外しが可能で、強度の粘着力で数回使用できるということなので、使用回数が増えると、粘着力が落ち、衛生面を考慮しても使用は数回程度に限られる。あとサポーターの構造上、装着に時間がかかると思われる。
（ロ）特開２００６−３０５２７９号広報のノーズフィットするマスクは、マスク上部を金属片（ワイヤー）で手で簡単に曲げられて鼻の形にフィットさせるものであるが、マスクを外したり、会話をしている最中に、形が崩れてしまい完全に鼻の凹凸部にフィットできない点がある。その為、呼気による眼鏡の曇りを遮断することは難しいと思われる。
（ハ）特開２０１０−１６２０９８号広報のマスクカバーは、伸縮性のある布で洗って何度でも使えるというものであるが、何度も洗えば、抗菌効果も落ち、スペアのマスクカバーが必要とする点がある。
（ニ）特開２００１−５６５号広報の衛生マスクは、商品化した場合、材質や構造的に考えると、製造コストがかかると思われる。目の細かい通気性素材ということで、ガーゼや布を使用したとした場合、複数回使用できるが、実用新案登録第３１４３６０７号同様、洗濯すれば抗菌効果も落ち、スペアマスクが必要とする点がある。
本発明は、以上のような欠点をなくすためになされたものである。
【課題を解決するための手段】
【０００５】    フェイスラインに沿った立体型の薄膜状のシートで、マスク（８）を装着した状態の上から、鼻根（１２）から顎（１４）にかけて覆い、耳掛けフック（６）で両側で引っ張ってマスク（８）との隙間を密着させ、眼鏡（９）の鼻パッド（１０）で薄膜状のシートが押さえて気密性を高め、呼気による眼鏡（９）の曇りを防止し、装着時に息苦しくならないように、口と鼻の箇所に呼吸穴を設けた。本発明は、以上の構成よりなるマスクシート（１）である。
【発明の効果】
【０００６】    （イ）本発明はマスクシートなので、汎用性が高く、どのマスクでも同様の効果を得ることが出来る。
（ロ）使い捨てではないので、マスクシート１枚あれば、何回でも使用することが出来、コストパフォーマンスが高い。
（ハ）洗濯が手軽に水洗い出来、速乾性で衛生的である。
（ニ）弾力性素材の薄膜状のシートで気密性が高いので、呼気の上昇による眼鏡の曇りを最小限に抑えることが出来る。
【図面の簡単な説明】
【０００７】
【図１】  本発明を装着した際の斜視図である。
【図２】  本発明の正面図である。
【図３】  本発明の側面図である。
【発明を実施するための形態】
【０００８】    以下、本発明を実施するための形態について説明する。
１枚の弾力性素材の薄膜状のシートで装着時の違和感をなくすために、色は半透明もしくは透明である。形態は、フェイスラインに沿った立体型のマスクシート（１）であり、上辺は、裾部（３）から山部（２）にかけてゆるやかな曲線で、その延長線の先にに耳掛けフック（６）の弧につながる。鼻と口にそれぞれ、鼻呼吸穴（４）と、口呼吸穴（５）を施し、装着時に息苦しくならないようにした。
本発明は、以上のような構造である。
本発明を使用するときは、マスク（８）の上辺を鼻背（１３）あたりで装着し、マスクシート（１）の山部（２）を鼻根（１２）につけて、耳掛けフック（６）を左右の耳にかけて、マスクシート下部（７）を顎（１４）部分に合わせます。その上から眼鏡（９）をかけて、鼻パッド（１０）がマスクシート袖部（３）に当てる様に装着すると、呼気の上昇によるレンズ（１１）の曇りや、鼻背（１３）まわりの隙間を塞ぐことで、ウィルスや花粉、ＰＭ２．５等の侵入を最小限に抑えることが出来る。
【符号の説明】
【０００９】（１）（マスクシート）本体                    （１０）鼻パッド
（２）（マスクシート）山部                    （１１）レンズ
（３）（マスクシート）裾部                    （１２）鼻根
（４）（マスクシート）鼻呼吸穴                （１３）鼻背
（５）（マスクシート）口呼吸穴                （１４）顎
（６）（マスクシート）耳掛けフック
（７）（マスクシート）下部
（８）マスク
（９）眼鏡
【図１】
2015196079.tif 000003
【図２】
2015196079.tif 000004
【図３】
2015196079.tif 000005
(57)【要約】【課題】競馬場等の指定席等のデスクスペースを最大限に有効利用する為に作られたケースを提供する。【解決手段】指定席の番号板と、前席の仕切り板とで出来ている、その僅かな隙間に差し込み、マークシートや、勝ち馬投票券、筆記具等を一括収納出来る事を特徴とする。【選択図】図１
2015196375.tif 000002
【特許請求の範囲】
【請求項１】
最前列に中央付近に指定席番号カード入れ部、第２列目に、勝ち馬投票券を複数枚いれることができる縦方向の勝ち馬投票券入れＡ部、又は横方向の勝ち馬投票券入れＢ部を備え、第３列目に、マークシートを入れるマークシート入れ部１４、筆記具入れ部を備え、且つ、前席の隙間に挿入して取り付けるための引っ掛け部１５を備え、指定席番号カード入れ部は、前面部は、挿入した指定席番号カードが見えるように透明したことを特徴とする  競馬場指定席用便利ケース。
【発明の詳細な説明】
【技術分野】
【０００１】この発明は、競馬場等の指定席のデスクスペースを出来る限り有効に使う為に作られたケースに関する物である。
【背景技術】
【０００２】従来、競馬場の指定席には、マークシートや、購入した、勝ち馬投票券や、筆記具等を収納する部分が無いのが一般的であった。
【先行技術文献】
【特許文献】
【０００３】
【特許文献１】
【発明の概要】
【発明が解決しようとする課題】
【０００４】以前ならば、競馬場の指定席には、一席に一つの煙草の吸殻入れがあったと思われる。
しかし、現在の世では、分煙が基準となっている為、喫煙のブースが指定席とは別に設けられているので、従来の指定席にあったと思われる煙草の吸殻入れは取り外され、その部分には、指定席の番号などが書かれた板が張り付けられているので、ほとんどの人は、その前席の仕切り板との、その僅かな隙間を利用し、指定席のデスクスペースを広く有効に使う為に、マークシートや、勝ち馬投票券などを差込み、有効に利用しているが、その隙間の部分は、計算して作られたスペースでは無い為、マークシートを横向けには差し込めず、立てて差し込まなければならないうえ、購入した勝ち馬投票券を、横向きにして入れる事は出来るが、そうすれば入り込んでしまい、今度は取り出す際に、簡単に手で取り出せないといった不自由な寸法の隙間で、有効利用し辛かった。
本発明は、デスク上にマークシートや筆記具等を置かず、デスク上のスペースを、出来る限り有効に使う為になされたものである。
【課題を解決するための手段】
【０００５】指定席の番号などが書かれた板と、前席の仕切り板とで出来ている、その僅かな隙間に差し込み、マークシートや、勝ち馬投票券、筆記具等を一括収納出来る指定席用便利ケースである。
【発明の効果】
【０００６】（イ）この競馬場指定席用便利ケースを使用する事により、マークシートや、勝馬投票券      や、筆記具を収納出来、ケースは、デスクの上に置かれず、中に浮いているので、      前席の仕切り板ぎりぎりまで、資料や、新聞などを広げる事が出来、与えられたデ      スクスペースを最大限に有効利用する事が出来る。
（ロ）使用後は、取外し持ち帰るので、次回も使用する事が出来る。
【図面の簡単な説明】
【０００７】
【図１】本発明の競馬場指定席用便利ケースの構成
【図２】同実施形態の使用例（整理物を挿入）
【図３】同実施形態を仕切り板と指定席の番号などが書かれた板の隙間への取り付方法
【図４】同実施形態の現地での使用図
【発明を実施するための形態】
【０００８】競馬場等の指定席等で、与えられたデスクスペースを最大限に有効利用する事が出来、前席との仕切り板と指定席の番号板とで出来ている、その僅かな隙間に差し込み、マークシートや、勝ち馬投票券、筆記具等を一括収納出来る事を設けた事を特徴とする指定席用便利ケースである。
図１は、本発明の競馬場指定席用便利ケースの構成を示す。
競馬場指定席用便利ケース１は、最前列に中央付近に指定席番号カード入れ部、第２列目に、勝ち馬投票券を複数枚いれることができる縦方向の勝ち馬投票券入れＡ部、又は横方向の勝ち馬投票券入れＢ部を備え、第３列目に、マークシートを入れるマークシート入れ部１４、筆記具入れ部を備え、且つ、前席の隙間に挿入して取り付けるための引っ掛け部１５を備える。
指定席番号カード入れ部は、前面部は、挿入した指定席番号カードが見えるように透明になっている。
縦方向の馬券入れＡ部は、勝ち馬投票券を縦に挿入したときに、頭ができる高さである。横方向の馬券入れＢ部は、勝ち馬投票券を横に挿入したときに、頭ができる高さである。マークシート入れ部１４は、マークシートを、縦、又は横方向に複数枚挿入できるスペースである。
競馬場指定席用便利ケースは取り外しする事によって、次回も使用する事が出来る。
又、本発明の競馬場指定席用便利ケースは、競馬場の指定席だけではなく、自宅や職場の小物入れや、筆立てとしても使用する事が出来る。
【符号の説明】
【０００９】１      競馬場指定席用便利ケース
１１  指定席番号カード入れ部
１２  馬券入れＡ部
１３  馬券入れＢ部
１４  マークシート入れ部
１５  引っ掛け部
１６  筆記具入れ部
２      整理物
２１  指定席番号カード
２２  勝ち馬投票券
２３  勝ち馬投票券
２４  マークシート
２５  筆記具
３      仕切り板
３１  隙間
３２  デスク
３３  指定席番号が書かれた札
３４  カップホルダー
３５  ドリンクカップ
３６  資料
【図１】
2015196375.tif 000003
【図２】
2015196375.tif 000004
【図３】
2015196375.tif 000005
【図４】
2015196375.tif 000006
(57)【要約】      （修正有）【課題】目盛り付きガイドプレートに定規を組み合わせた罫線引き具を提供する。【解決手段】差し込み隙間を最少限にした長さのある二枚のガイドプレート２を基部１の左右に設け、ガイドプレート２に目盛りを設け、目盛り付きのガイドプレート２に定規４を当て定規４を上下又左右に移動させ任意の間隔の罫線を縦横に引く罫線引き具。【選択図】図３
2015196373.tif 000002
【特許請求の範囲】
【請求項１】
差し込み隙間を最少限にした長さのある二枚のガイドプレートを基部の左右に設け、ガイドプレートに目盛りを設け、目盛り付きのガイドプレートに定規を当て定規を上下又左右に移動させ任意の間隔の罫線を縦横に引くことができることを特徴とする罫線引き具。
【発明の詳細な説明】
【技術分野】
【０００１】本発明は、目盛り付きガイドプレートと定規の組み合わせによりハガキに任意の間隔の縦、横の罫線を引く文具に関する物である。
【背景技術】
【０００２】従来、ハガキ大のプレートに溝を設けた文具はあった。
【発明の開示】
【発明が解決しようとする課題】
【０００３】そのために、次のような問題点があった。
（イ）、罫線の間隔を自由に設定できなかった。
本発明は、これらの問題点を解決するためになされた物である。
【課題を解決するための手段】
【０００４】差し込み隙間を最少限にした長さのある二枚のガイドプレートを基部の左右に設け、ガイドプレートに目盛りを設け、目盛り付きのガイドプレートに定規を当て定規を上下又左右に移動させ任意の間隔の罫線を縦横に引く。以上を特徴とする罫線引き具。
【発明の効果】
【０００５】差し込み隙間に、ハガキを基部まで差し込み定規をガイドプレートに当て目盛りを基に線を引く。罫線の間隔も任意に設定でき文字も整理され美しいハガキに仕上がる。
【発明を実施するための最良の形態】
【０００６】以下、本発明の実施の形態について説明する。
（イ）、差し込み隙間を最少限にした長さのあるガイドプレートを設ける。
（ロ）、ガイドプレートに目盛りを設ける。
（ハ）、直角三角定規を設ける。
本発明は以上のような構成で、これを使用するときは、ハガキを差し込み隙間の溝に基部まで差し込み、定規をガイドプレートに当て目盛りを基に線を引く。ハガキに縦、横の罫線はガイドプレートの差し替えにより自由に変更できる。
【実施例１】
【０００７】ハガキに、横の線を引くときは、図３に示すようにガイドプレートをハガキの横、縦の線を引くときは、ガイドプレートを上に装着する。
【図面の簡単な説明】
【０００８】
【図１】本発明の正面図
【図２】本発明の側面図
【図３】本発明のガイドプレートをハガキの横の縁に差しこみ定規を当て横線を入れる例を示す正面図
【図４】本発明のガイドプレートをハガキの上の縁に差しこみ定規をあて縦線を入れる例を示す正面図
【符号の説明】
【０００９】１  基部
２  ガイドプレート
３  目盛り
４  定規
５  隙間
【図１】
2015196373.tif 000003
【図２】
2015196373.tif 000004
【図３】
2015196373.tif 000005
【図４】
2015196373.tif 000006
(57)【要約】【課題】本発明はプラスチック成形機のノズルヒーター部が外気温などの影響によって、温度が安定しない問題を解決し、樹脂漏れした樹脂がノズルヒーター部に付着するのを軽減できるようにした発明である。【解決手段】ノズル先端１にあわせた穴３を開けたノズルカバー２をノズル先端１からシリンダー４までを覆うように被せる。このようにノズルカバー２でノズルヒーター５を覆うことにより、空気の流通が無くなり、ノズルカバー２内の空気層でノズルを保温できる。また。ノズルカバー２の穴３をノズル先端１に合わせて製作するこにより、樹脂漏れした樹脂がノズルヒーター５に付着することを軽減できる。【選択図】図１
2015196316.tif 000002
【特許請求の範囲】
【請求項１】
ガラスクロスなど耐熱布にノズルを通す穴を開け、
ノズルヒーターを覆い、
ノズルヒーターの保温を特徴としたカバー。
【請求項２】
取り付けるノズルの大きさや形によって加工することができることを特徴とする請求項１記載のカバー。
【請求項３】
取り付けるノズルヒーターの温度によって、使用する断熱布を変えて製作することができることを特徴とした請求項１記載のカバー。
【請求項４】
ノズル先端の大きさに合わせてカバーの穴を製作することにより、樹脂漏れによる樹脂のノズルヒーターへの付着が軽減されることを特徴とした請求項１記載のカバー。
【発明の詳細な説明】
【技術分野】
【０００１】
本発明はプラスチック射出成形機のノズル先端からシリンダー先端まで覆うように装着し、ノズルヒーター部の温度安定化と成形時のノズル先端からの樹脂漏れによるノズルヒーター部への樹脂付着を解消したものである。
【背景技術】
【０００２】
従来は、プラスチック射出成形機のノズルの温度安定化と樹脂の付着を解消するものは無かった。
【発明の概要】
【発明が解決しようとする課題】
【０００３】
プラスチック成形機には、製品となる樹脂を溶解させるためのシリンダーがあり、樹脂をシリンダーから製品金型に送り込むまでにノズルを通って送り込まれる。この際、ノズルには溶解された樹脂を冷まさない様にヒーターが設けられ、溶解されたままの温度（２００℃から３００℃くらい）で金型まで送り込めるように設計されている。ノズルはむき出しになっているため冬の寒い時期など外気温の影響を受けやすく、成形品の不良を多く出していた。ノズルの温度を安定させるためにノズルに断熱カバーを付けても、ノズルと金型が合わず樹脂が金型に入らずに飛び出す（樹脂漏れ）ことがよくあり、樹脂が断熱カバーに付いてしまう。断熱カバーに樹脂が付くと、断熱カバー自体は問題がないが、付いた樹脂は完全に取り払うことができず、ヒーターの温度によって樹脂が燃え火災に繋がる。樹脂が付いた断熱カバーは廃棄する他無かった。こういったデメリットが発生する為、ノズルに断熱カバーを装着することができなかった。本発明はそれを解消するものである。
【課題を解決するための手段】
【０００４】
ノズル先端1を出す様にノズルカバー２に穴３を開け、ノズルからシリンダー４までおおうようにノズルカバー２を被せる。この際、ノズルカバー２に金属を用いるとノズルヒーター５と接触し、ショートする可能性があるのと金型６の斜面に接触しないように、ノズルカバー２は耐熱性あるのガラスクロスやシリカクロスなど耐熱布が一番良い。ノズル先端１の穴３をノズル先端１の大きさとあった穴を開けることにより、ノズルと金型６のタッチが合わず跳ね返った樹脂がノズルヒーター５に付着することを軽減できる。ノズルほぼ全域をノズルカバー２で覆う形になるので外気温を影響を無くし、ノズルを保温することを可能にした。
【発明の効果】
【０００５】
ノズルヒーター部の温度を安定させる事で成形時の温度変化による不良品を減らす。またノズルと金型の接触があわず樹脂漏れした場合の樹脂がノズルヒーターに付着し、ノズルヒーターが破損するを軽減できる。
【図面の簡単な説明】
【０００６】
【図１】本発明の横面図面である。
【発明を実施するための形態】
【０００７】
以下、本発明の実施形態について説明する。
図１で示すように、ノズル先端１にあわせた穴３を開けたノズルカバー２をノズル先端１からシリンダー４までを覆うように被せる。この際、ノズルカバー２をガラスクロスなど耐熱布を使用することにより、ノズルヒーター５と接触してショートすることや、金型６の斜面にノズルカバー２が当たって邪魔になることもない。ノズルやシリンダー４の大きさは機械によって異なるため、その都度、機械にあったノズルカバー２を作成する。このようにノズルカバー２でノズルヒーター５を覆うことにより、空気の流通が無くなり、ノズルカバー２内の空気層でノズルを保温できる。また。ノズルカバー２の穴３をノズル先端１に合わせて製作するこにより、樹脂漏れした樹脂がノズルヒーター５に付着することを軽減できる。
【符号の説明】
【０００８】
１  ノズル先端
２  ノズルカバー
３  穴
４  シリンダー
５  ノズルヒーター
６  金型
【図１】
2015196316.tif 000003
(57)【要約】      （修正有）【課題】従来の自転車では、坂道、悪路等で、進むためには大きな力を必要としていた。特に女性、子供、等その他体力の弱い者にはそのような状況では不便で問題があった。【解決手段】フロントギア４をフレームを介して左右に取付して、シャフト７をリンク２で前方に曲げ、上死点の時点でも踏み込こんで加重出来るよう変更した。又、中心部より離してリンク２でフロントギア４と連結したことで、てこの原理で同じ運動でより大きな推進力を生む事が出来るようになった。【選択図】図１
2015196458.tif 000002
【特許請求の範囲】
【請求項１】
フロントギアをフレームを介して左右に取付、シャフト7を2で前方に曲げ、ペダルを中心部より前方に取り付ける事で、上死点時より加重出来る機構
【発明の詳細な説明】
【技術分野】
【０００１】
この発明は、少ない力でより推進力を生む自転車に関するものである。
【背景技術】
【０００２】
従来、自転車はクランクの中心部よりシャフトを介してペダルを踏む事で動力を得ていた。
【発明の概要】
【発明が解決しようとする課題】
【０００３】
これまでは、次のような欠点があった。坂道、又は路面状態の悪い所では大きな力が必要で、前への推進力に影響が出ていた。
【課題を解決するための手段】
【０００４】
フロントギアをフレームを介して左右に取付、７のシャフトを２で前方に曲げて取付した。本発明は、以上の構成よりなる装置である。
【発明の効果】
【０００５】
ペダルの取付位置を、中心より前方に変更する事で７のシャフトが上死点の状態ですでに大きな力を生む踏み込む状態であり、さらに中心部より離れた２の部分を連結させる事で、てこの原理でより大きな推進力を生む事が出来、少ない力で大きな駆動力得る事が出来るようになった。
【図面の簡単な説明】
【０００６】
【図１】本発明の平面図である。
【発明を実施するための形態】
【０００７】
以下、本発明を実施するための形態について説明する。フロントギアをフレームを介して左右に取付し、７のシャフトを２で前方に曲げて取付した。本発明は以上のような構造である。てこの原理で少ない力で推進力を得ることが出来る。
【実施例】
【０００８】
坂道、悪路等路面の悪い状態でも、少ない力で大きな推進力を得ることが出来、より移動が簡単になった。
【産業上の利用可能性】
【０００９】
駆動輪のペダルの取付の位置を変更する事で、ペダルで駆動するあらゆる移動車両に応用でき、より少ない力で移動が可能となる。
【符号の説明】
【００１０】
１  クランク
２  リンク
３  ペダル
４  フロントギア
５  リアギア
６  チェーン
7  シャフト
【図１】
2015196458.tif 000003
(57)【要約】【課題】テニスのプレーが終わって、シューズを脱いだ時に、中に入った砂を取り除く苦労を誰もが経験する。シューズに入り込む砂は、つま先側と踵側から跳ね上がった砂で、横と中心部に付着した砂はシューズの底面に当たり地面に落ちて跳ね上がってこない。  本発明は、テニスのプレー中にテニスシューズに侵入する砂を完全に防止するテニスシューズを提供する。【解決手段】シューズの底（地面に接する面）のつま先側と踵側辺縁部分に端から幅１ｃｍ程度を残し、内側に向かって深さ１．５ｃｍ、幅２．０ｃｍ程度の溝を作る。さらに、つま先側と踵側の辺縁部分に幅１ｃｍ、厚さ３ｍｍ程度の凸状壁を作ったテニスシューズ。【選択図】図２
2015186558.tif 000002
【特許請求の範囲】
【請求項１】
シューズの底（地面に接する面）のつま先側と踵側辺縁に端から幅１ｃｍ程度を残し、内側に向かって深さ１．５ｃｍ、幅２．０ｃｍ程度の溝を作り、さらに、つま先側と踵側の辺縁部分に幅１ｃｍ、厚さ３ｍｍ程度の凸状壁を作り、砂の侵入を防止するテニスシューズ。
【発明の詳細な説明】
【技術分野】
【０００１】  本発明は、テニスのプレー中に侵入する砂を完全に防止するテニスシューズに関するものである。
【背景技術】
【０００２】  バンカーショットの時に入り込む砂よけゴルフシューズや、雨の時にズボンに跳ね上がる雨水をブロックする靴の発明はあるが、テニスのプレー中に侵入する砂を完全に防止するシューズの発明は、まだなされていない。
【先行技術文献】
【特許文献】
【０００３】
【特許文献１】  特開平１１−２７６２０２号公報
【特許文献２】  特開２００６−５５６０１号公報
【発明の概要】
【発明が解決しようとする課題】
【０００４】  テニスのプレーが終わって、シューズを脱いだ時に、中に入った砂を取り除く苦労を誰もが経験する。砂の侵入経路を調べるため、図１に示すようにシューズをはいたあと靴下の真上に、接着面を表にしてガムテープを巻きつけ跳ね上がった砂を拾い、２時間後にガムテープに付着した前後左右の砂の量を確認した。この砂の侵入経路の調査はオムニコートを使用して数回行った。
砂は足の踵側と、つま先側から跳ね上がる。しかし、跳ね上がる量は踵側が多いので約１時間３０分で踵側のガムテープ面は砂で飽和状態になり、砂は付着されず地面に落下する。その後、つま先側も飽和状態になり、ガムテープの全面が砂で覆われる。
ガムテープに付着する砂は、つま先側と踵側から跳ね上がった砂で、横からは跳ね上がらない。特許文献１のようにシューズ前面のヒモで結んだ部分だけを覆い隠しても、跳ね上がる砂は後ろの踵側からが殆どで踵側のシューズと足の隙間から侵入する。
本発明は、テニスのプレー中にテニスシューズに侵入する砂を完全に防止するためになされたものである。
【課題を解決するための手段】
【０００５】  シューズの底のつま先側と踵側の辺縁部分に、図２に示すような深さ１．５ｃｍ、幅２．０ｃｍ程度の溝を掘り、地面に接触する面積を減らすことで、シューズの底の辺縁部分に付着する砂の量は激減し、跳ね上がる砂は殆ど無くなる。溝の形状は図２の他に、図５のような形状など、いろいろ考えられるが、機能性と履きやすさを考慮すると図２の形状がベストである。
また、図４に示すように底のつま先側と踵側の辺縁部分を幅１．０ｃｍ、厚さ３ｍｍ程度の凸状壁で囲むことで、上方へ跳ね上がる微量の砂（図２で点をうっている部分）をブロックすることができる。以上の構成よりなる砂の侵入を防止するテニスシューズ。
【発明の効果】
【０００６】  上へ跳ね上がる砂の殆どは、つま先側と踵側の辺縁部に付着したもので、横と中心部分に付着した砂は物理的に跳ね上がることはない。
シューズの底のつま先側と踵側の辺縁部分に溝を掘り、地面に接触する底の面積を減少させることで、底に付着する砂の量は激減し、上へ跳ね上がる砂は、図２に示す点をうった部分だけとなった。その微量の砂は、つま先側と踵側の辺縁部分に幅１．０ｃｍ、厚さ３ｍｍ程度の凸状壁を作ることで完全にブロックすることができる。
【図面の簡単な説明】
【０００７】
【図１】砂の侵入経路
【図２】本発明のシューズの底のつま先側と踵側辺縁部分に作った溝
【図３】本発明のシューズの底の縦断面、横断面
【図４】本発明のシューズの底のつま先側と踵側辺縁部分を囲った凸状壁
【図５】図２以外の形状の溝
【発明を実施するための形態】
【０００８】  シューズの底（地面に接する面）のつま先側と踵側辺縁部分に図２のような端から幅１ｃｍ程度を残し、内側に向かって深さ１．５ｃｍ、幅２．０ｃｍ程度の溝を掘る。これにより、底に付着する砂の量を激減させ、つま先側と踵側から入り込む砂を殆どブロックできる。
砂が付着する可能性がある部位は、つま先側と踵側の辺縁部分（図２で点をうった部分）のみである。この微量な砂の跳ね上げをブロックするため、図４のようにつま先側と踵側の辺縁部分を幅１ｃｍ、厚さ３ｍｍ程度の凸状壁で囲んだ。
【符号の説明】
【０００９】１シューズ、２ガムテープ接着塗布面、３右シューズの底面、４左シューズの底面、５つま先側の溝、６踵側の溝、７つま先側の凸状部、８踵側の凸状部
【図１】
2015186558.tif 000003
【図２】
2015186558.tif 000004
【図３】
2015186558.tif 000005
【図４】
2015186558.tif 000006
【図５】
2015186558.tif 000007